(57)【要約】【課題】簡易な構成で複数の二次電池の電池電圧の均一化を図ることが可能な蓄電状態調整回路、蓄電状態調整装置及び電池パックを提供することを目的としている。【解決手段】直列に接続された充放電可能な複数の蓄電手段と、前記複数の蓄電手段のそれぞれに並列に接続される複数のコイルと、の間に接続されるスイッチ素子を少なくとも１つ有し、前記スイッチ素子は、前記スイッチ素子と前記コイルの接点と、前記スイッチ素子と前記蓄電手段との接点と、の電位差に基づいてスイッチング制御される。【選択図】図１
2015119614.tif 000002
【特許請求の範囲】
【請求項１】
直列に接続された充放電可能な複数の蓄電手段と、前記複数の蓄電手段のそれぞれに並列に接続される複数のコイルと、の間に接続されるスイッチ素子を少なくとも１つ有し、
前記スイッチ素子は、
前記スイッチ素子と前記コイルの接点と、前記スイッチ素子と前記蓄電手段との接点と、の電位差に基づいてスイッチング制御される蓄電状態調整回路。
【請求項２】
前記スイッチ素子の前記コイルの接点の電位と、前記スイッチ素子と前記蓄電手段の接点の電位とを比較する比較回路を有し、
前記比較回路は、
前記スイッチ素子の前記コイルの接点の電位が、前記スイッチ素子と前記蓄電手段の接点の電位よりも高くなったとき、前記スイッチ素子をオンさせる請求項１記載の蓄電状態調整回路。
【請求項３】
前記複数のコイルに対して電流の供給するタイミングを制御する制御部を有し、
前記複数のコイルに対して電流の供給が開始されたとき、電圧が最も低い前記蓄電手段と接続されたスイッチ素子から順にオンとされ、
オンとされた前記スイッチ素子と接続された前記コイルから前記電圧が最も低い前記蓄電手段へ前記電流が供給される請求項２記載の蓄電状態調整回路。
【請求項４】
前記複数のコイルに供給される電流の値を調整する調整部を有し、
前記調整部は、
所定の検出信号を受けて、前記電流の値を大きくする請求項３記載の蓄電状態調整回路。
【請求項５】
直列に接続された充放電可能な複数の蓄電手段と直列に接続された一次側コイルと、
前記複数の蓄電手段のそれぞれに並列に接続された複数の二次側コイルと、
前記複数の蓄電手段と前記複数の二次側コイルとの間に接続された少なくとも１つのスイッチ素子と、を有し、
前記スイッチ素子は、
前記スイッチ素子と前記二次側コイルとの接点と、前記スイッチ素子と前記蓄電手段との接点と、の電位差に基づいてスイッチング制御される蓄電状態調整装置。
【請求項６】
直列に接続された充放電可能な複数の蓄電手段と、
前記複数の蓄電手段と直列に接続された一次側コイルと、
前記複数の蓄電手段のそれぞれに並列に接続された複数の二次側コイルと、
前記複数の蓄電手段と前記複数の二次側コイルとの間に接続された少なくとも１つのスイッチ素子と、を有し、
前記スイッチ素子は、
前記スイッチ素子と前記二次側コイルとの接点と、前記スイッチ素子と前記蓄電手段との接点と、の電位差に基づいてスイッチング制御される電池パック。
【発明の詳細な説明】
【技術分野】
【０００１】
本発明は、充放電可能な複数の蓄電手段に係る蓄電状態調整回路、蓄電状態調整装置及び電池パックに関する。
【背景技術】
【０００２】
従来から、複数の二次電池（セル）を直列接続した組電池からなる電池パックでは、各セルの電圧を調整して各セルの電池電圧の均一化を図る電子回路を有するものが知られている。
【０００３】
電池パックでは、この電子回路により各セルの電池電圧の均一化を図ることで、各セルの製造バラツキやサイクル劣化、経年変化等により各セル間に特性差が生じることを抑制している。
【０００４】
例えば特許文献１には、充電時に複数の二次電池のそれぞれと接続された複数のスイッチを制御して、電池電圧が復帰電圧レベル未満のセルを充電することが記載されている。また特許文献２には、複数の二次電池のそれぞれと接続されたスイッチを制御して、電池電圧の高いセルから電池電圧の低いセルへエネルギーを移動させることが記載されている。
【発明の概要】
【発明が解決しようとする課題】
【０００５】
上記従来の技術では、各セルの電池電圧に基づきスイッチの制御を行うため、セル毎の電池電圧を監視する必要がある。したがって従来の技術では、セルの数に応じて部品点数が増加して回路が複雑となり、近年望まれている電池パックの小型化等の妨げになる虞がある。
【０００６】
開示の技術は、上記事情を鑑みてこれを解決すべくなされたものであり、簡易な構成で複数の二次電池の電池電圧の均一化を図ることを目的としている。
【課題を解決するための手段】
【０００７】
上記目的を達成すべく、下記の構成を採用した。
【０００８】
本発明は、直列に接続された充放電可能な複数の蓄電手段と、前記複数の蓄電手段のそれぞれに並列に接続される複数のコイルと、の間に接続されるスイッチ素子を少なくとも１つ有し、前記スイッチ素子は、前記スイッチ素子と前記コイルの接点と、前記スイッチ素子と前記蓄電手段との接点と、の電位差に基づいてスイッチング制御される蓄電状態調整回路である。
【発明の効果】
【０００９】
簡易な構成で複数の二次電池の電池電圧の均一化を図ることができる。
【図面の簡単な説明】
【００１０】
【図１】第一の実施形態の電池パックを説明する図である。
【図２】電流不連続モードにおける各コイルの電流波形を示す図である。
【図３】第二の実施形態の電池パックを説明する図である。
【図４】電流連続モードにおける各コイルの電流波形を示す図である。
【発明を実施するための形態】
【００１１】
（第一の実施形態）
以下に図面を参照して本発明の第一の実施形態について説明する。図１は、第一の実施形態の電池パックを説明する図である。
【００１２】
本実施形態の電池パック１００は、コイルＬｐ、Ｌ１、Ｌ２、Ｌ３、Ｐ＋端子、Ｐ−端子、蓄電状態調整回路１１０、組電池１２０を有する。
【００１３】
本実施形態の蓄電状態調整回路１１０は、組電池１２０に含まれる複数の二次電池の電池電圧を均一化を図り、各二次電池における電気の蓄積状態（すなわち蓄電状態）を調整する。
【００１４】
本実施形態の蓄電状態調整回路１１０は、コンパレータ１１１、１１２、１１３、スイッチ素子Ｍ１、Ｍ２、Ｍ３、制御回路１１４、抵抗Ｒｓ、スイッチ素子ＳＷを有する。本実施形態のスイッチ素子Ｍ１、Ｍ２、Ｍ３及びスイッチ素子ＳＷは、例えばＭＯＳＦＥＴ（Metal-Oxide-Semiconductor Field-Effect Transistor）等の半導体スイッチ素子等である。
【００１５】
本実施形態の電池パック１００の有する各コイル及び蓄電状態調整回路１１０は、フライバックコンバータ回路を構成しており、コイルＬｐは一次側のインダクタ、コイルＬ１、Ｌ２、Ｌ３は二次側のインダクタである。
【００１６】
本実施形態の電池パック１００では、スイッチ素子ＳＷのオン期間中にコイルＬｐ（フライバックトランス）に電力を蓄える。そして、スイッチ素子ＳＷがオフに切り替わると、コイルＬｐの逆起電力を利用して、蓄えられていた電力を一気に二次側のコイルＬ１、コイルＬ２、コイルＬ３に出力する。
【００１７】
本実施形態の組電池１２０は、二次電池ＢＡＴ１、二次電池ＢＡＴ２、二次電池ＢＡＴ３を含む。本実施形態の二次電池ＢＡＴ１、二次電池ＢＡＴ２及び二次電池ＢＡＴ３は、直列に接続されており、二次電池ＢＡＴ３の正極は、Ｐ＋端子と接続され、二次電池ＢＡＴ１の負極がＰ−端子と接続されている。
【００１８】
本実施形態のＰ＋端子は充電器又は負荷の正極と接続され、Ｐ−端子は充電器又は負荷の負極と接続される。
【００１９】
本実施形態の二次電池ＢＡＴ３の正極は、コイルＬｐの一端と接続されており、コイルＬｐの他端はスイッチ素子ＳＷの一端と接続されている。スイッチ素子ＳＷの他端は、抵抗Ｒｓを介して二次電池ＢＡＴ１の負極と接続されている。
【００２０】
本実施形態のコイルＬ１の一端は、二次電池ＢＡＴ１の負極と接続さてれおり、コイルＬ１の他端はコンパレータ１１１及びスイッチ素子Ｍ１を介して二次電池ＢＡＴ１の正極と接続されている。
【００２１】
本実施形態のスイッチ素子Ｍ１は、一端がコイルＬ１の他端と接続され、他端が二次電池ＢＡＴ１の正極と接続されている。本実施形態のコンパレータ１１１は、反転入力端子がコイルＬ１の他端及びスイッチ素子Ｍ１の一端と接続され、非反転入力端子がスイッチ素子Ｍ１の他端及び二次電池ＢＡＴ１の正極と接続されている。本実施形態のコンパレータ１１１の出力は、スイッチ素子Ｍ１のオン／オフを制御するゲートに供給される。
【００２２】
すなわち本実施形態のコンパレータ１１１は、コイルＬ１の他端とスイッチ素子Ｍ１の一端との接続点Ｐ１の電圧（二次側の逆起電圧Ｅ）と二次電池ＢＡＴ１の電池電圧とを比較している。本実施形態のコンパレータ１１１は、接続点Ｐ１の電圧が、二次電池ＢＡＴ１の電池電圧よりも高くなると、ローレベル（以下、Ｌレベル）の信号を出力し、スイッチ素子Ｍ１をオンさせる。尚、本実施形態のスイッチ素子Ｍ１は、後述するスイッチ素子ＳＷと逆相で動き、電流の逆流を防止する同期整流スイッチであっても良い。
【００２３】
本実施形態のコイルＬ２の一端は、二次電池ＢＡＴ１の正極（二次電池ＢＡＴ２の負極）と接続さてれおり、コイルＬ２の他端はコンパレータ１１２及びスイッチ素子Ｍ２を介して二次電池ＢＡＴ２の正極と接続されている。
【００２４】
本実施形態のスイッチ素子Ｍ２は、一端がコイルＬ２の他端と接続され、他端が二次電池ＢＡＴ２の正極と接続されている。本実施形態のコンパレータ１１２は、反転入力端子がコイルＬ２の他端及びスイッチ素子Ｍ２の一端と接続され、非反転入力端子がスイッチ素子Ｍ２の他端及び二次電池ＢＡＴ２の正極と接続されている。本実施形態のコンパレータ１１２の出力は、スイッチ素子Ｍ２のオン／オフを制御するゲートに供給される。
【００２５】
本実施形態のコンパレータ１１２は、コンパレータ１１１と同様に、コイルＬ２の他端とスイッチ素子Ｍ２の一端との接続点Ｐ２の電圧が、二次電池ＢＡＴ２の電池電圧より高くなったとき、スイッチ素子Ｍ２をオンさせる。
【００２６】
本実施形態のコイルＬ３の一端は、二次電池ＢＡＴ２の正極（二次電池ＢＡＴ３の負極）と接続さてれおり、コイルＬ３の他端はコンパレータ１１３及びスイッチ素子Ｍ３を介して二次電池ＢＡＴ３の正極（Ｐ＋端子）と接続されている。本実施形態のスイッチ素子Ｍ３は、一端がコイルＬ３の他端と接続され、他端が二次電池ＢＡＴ３の正極と接続されている。
【００２７】
本実施形態のコンパレータ１１３は、反転入力端子がコイルＬ３の他端及びスイッチ素子Ｍ３の一端と接続され、非反転入力端子がスイッチ素子Ｍ３の他端及び二次電池ＢＡＴ３の正極と接続されている。本実施形態のコンパレータ１１３の出力は、スイッチ素子Ｍ２のオン／オフを制御するゲートに供給される。
【００２８】
本実施形態のコンパレータ１１３は、コンパレータ１１１と同様に、コイルＬ３の他端とスイッチ素子Ｍ３の一端との接続点Ｐ３の電圧が、二次電池ＢＡＴ３の電池電圧より高くなったとき、スイッチ素子Ｍ３をオンさせる。
【００２９】
本実施形態の制御回路１１４は、スイッチ素子ＳＷのオン／オフを制御する制御信号を生成し、出力する。具体的には本実施形態の制御信号は、例えばスイッチ素子ＳＷを所定のタイミングでオンさせるパルス信号等である。
【００３０】
以下に本実施形態の蓄電状態調整回路１１０の動作について説明する。以下の説明では、組電池１２０において二次電池ＢＡＴ１の電池電圧Ｖｂａｔ１＞二次電池ＢＡＴ２の電池電圧Ｖｂａｔ２＞二次電池ＢＡＴ３の電池電圧Ｖｂａｔ３である場合を例として説明する。
【００３１】
またこのとき各コイル及び蓄電状態調整回路１１０が構成するフライバックコンバータ回路の動作モードは、電流不連続モードであるものとした。電流不連続モードとは、スイッチ素子ＳＷのオン期間にコイルＬｐに流れる電流ＩＬｐが０となる状態が発生するモードのことである。
【００３２】
図２は、電流不連続モードにおける各コイルの電流波形を示す図である。
【００３３】
本実施形態の蓄電状態調整回路１１０において、制御回路１１４から出力される制御信号によりスイッチ素子ＳＷがオンされると、コイルＬｐに電流ＩＬｐが発生する。スイッチ素子ＳＷは、電流ＩＬｐの値が、抵抗Ｒｓと制御回路１１４により予め設定された電流値Ｉｓに達すると、オフされる。このときコイルＬｐに蓄積される電力Ｗ１は、コイルＬｐのインダクタをＬｐとすると以下の式（１）で示される。
【００３４】
【数１】
2015119614.tif 000003
蓄電状態調整回路１１０において、スイッチ素子ＳＷがオフとなると、その瞬間に磁束φＢが起こり、コイルＬ１、Ｌ２、Ｌ３のそれぞれに逆起電圧Ｅが発生する。すなわち、接続点Ｐ１、Ｐ２、Ｐ３と、それぞれに対応するコイルの他端との間の電圧が逆起電圧Ｅとなる。逆起電圧Ｅは、以下の式（２）で示される。尚、Ｎ2は二次側のコイルＬ１、Ｌ２、Ｌ３の巻線数である。本実施形態では、コイルＬ１、Ｌ２、Ｌ３の巻線数は同数とした。よってコイルＬ１、Ｌ２、Ｌ３のそれぞれに発生する逆起電圧Ｅは同一となる。
【００３５】
【数２】
2015119614.tif 000004
本実施形態において、蓄電状態調整回路１１０のスイッチ素子ＳＷがオン／オフを繰り返し、一次側のコイルＬｐに蓄積された電力が二次側のコイルＬ１、Ｌ２、Ｌ３へ供給されると、逆起電圧Ｅは、一次側からの電力の供給により徐々に上昇する。そして本実施形態では、逆起電圧Ｅが各コイルと接続された二次電池の電池電圧より高くなったとき、該当するコイルから二次電池へ電流が放出され、二次電池が充電される。
【００３６】
ここで、コイルＬ１、Ｌ２、Ｌ３のそれぞれから放出され、二次電池ＢＡＴ１、ＢＡＴ２、ＢＡＴ３に充電される電流をＩＬ１、ＩＬ２、ＩＬ３とし、各電流のピーク電流値をＩＬ１ｐ、ＩＬ２ｐ、ＩＬ３ｐとする、３つの二次電池には、図２に示すように電流が放出される。尚、コイルＬ１のリアクタンスはＬ１であり、コイルＬ２のリアクタンスはＬ２であり、コイルＬ３のリアクタンスはＬ３である。二次側のコイルＬ１、Ｌ２、Ｌ３に放出される電力Ｗ２は、以下の式（３）で示される。
【００３７】
【数３】
2015119614.tif 000005
以下にコイルＬ３に生じる逆起電圧Ｅが二次電池ＢＡＴ３の電池電圧より高くなった場合を説明する。
【００３８】
本実施形態では、コイルＬ３はコンパレータ１１３及びスイッチ素子Ｍ３を介して二次電池ＢＡＴ３と接続されている。本実施形態のコンパレータ１１３は、コイルＬ３の逆起電圧Ｅ、すなわち接続点Ｐ３の電圧が、二次電池ＢＡＴ３の電池電圧よりも高くなると、出力を反転させてスイッチ素子Ｍ３をオンさせる。言い換えれば本実施形態のコンパレータ１１３は、接続点Ｐ３の電位が、二次電池ＢＡＴ３とスイッチ素子Ｍ３の接続点の電位よりも高くなったとき、スイッチ素子Ｍ３をオンさせる。スイッチ素子Ｍ３がオンされると、コイルＬ３に発生した逆起電圧Ｅに対応する電流ＩＬ３が、コイルＬ３から二次電池ＢＡＴ３へ流れ、二次電池ＢＡＴ３が充電される。
【００３９】
ここで本実施形態のスイッチ素子Ｍ１、Ｍ２、Ｍ３のオン抵抗を考慮した場合の動作をさらに説明する。
【００４０】
本実施形態のスイッチ素子Ｍ１、Ｍ２、Ｍ３は、オン抵抗の低いパワーＦＥＴ等により実現することで、電池パック１００内の回路における損失を低減できる。本実施形態のスイッチ素子Ｍ１、Ｍ２、Ｍ３のそれぞれのオン抵抗をＲｓｗ＝ＲＭ１＝ＲＭ２＝ＲＭ３とすると、スイッチ素子Ｍ１、Ｍ２、Ｍ３のそれぞれに流れる電流Ｉｓｗは、二次電池ＢＡＴ毎に以下の式（４）で示される。
【００４１】
【数４】
2015119614.tif 000006
ここで電流Ｉｓｗは、コイルＬ１、Ｌ２、Ｌ３のそれぞれに流れる電流ＩＬ１、ＩＬ２、ＩＬ３と同様である。よって本実施形態では、電池電圧の低い二次電池に多くの電流が流れることがわかる。
【００４２】
本実施形態の説明では、３つの二次電池の中で二次電池ＢＡＴ３の電池電圧Ｖｂａｔ３が一番低い。したがってコイルＬ３に発生する逆起電圧電Ｅは、Ｅ＝Ｖｂａｔ３＋ＲＭ３×ＩＬ３≒Ｖｂａｔ３で固定され、コイルＬ３から電流ＩＬ３が二次電池ＢＡＴ３に供給される。
【００４３】
ここで、コイルＬ３に流れる電流ＩＬ３のピーク電流値ＩＬ３ｐとすると、本実施形態では以下の式（５）が成り立つ。尚、式（５）では、コイルＬｐのリアクタンスをＬｐとし、コイルＬ３のリアクタンスをＬ３とした。
【００４４】
【数５】
2015119614.tif 000007
また一次側のコイルＬｐと二次側のコイルＬ３の巻線比をＮｐ：１とした場合、コイルＬ３に流れる電流ＩＬ３のピーク電流値ＩＬ３ｐは、以下の式（６）で示される。
【００４５】
【数６】
2015119614.tif 000008
以上のように本実施形態では、一次側のコイルＬｐにおける電流ＩＬｐにより蓄積された電力Ｗ１が、二次側のコイルＬ３とスイッチ素子Ｍ３を経由して、ピーク電流値ＩＬ３ｐを持った三角波で示される電流ＩＬ３として二次電池ＢＡＴ３に放出される。二次電池ＢＡＴ３は、制御回路１１４から供給される制御信号によりスイッチ素子ＳＷがオンされるまで、電流ＩＬ３により充電される。
【００４６】
すなわち本実施形態では、スイッチ素子ＳＷがオフとなったとき、二次電池ＢＡＴ１、ＢＡＴ２、ＢＡＴ３のうち最も電池電圧が低い二次電池と接続されたスイッチ素子Ｍ１、Ｍ２、Ｍ３が最初にオンされる。
【００４７】
ここで再度スイッチ素子ＳＷがオンされると、二次側への電力の供給が停止され、一次側のコイルＬｐに対する電力の蓄積が開始される。そして二次側では、次にスイッチ素子ＳＷが再びオフとなったとき、このタイミングにおいて最も電池電圧が低い二次電池から順に、電力の供給が開始される。
【００４８】
すなわち本実施形態では、組電池１２０全体から得た電力を一次側のコイルに蓄え、二次側のコイルを介して電池電圧の最も低い二次電池にこの電力を移送する作業が行われる。本実施形態では、このサイクルを繰り返すことにより、スイッチ素子ＳＷがオフとなったときに電池電圧が最も低い二次電池から順に充電され、各二次電池の電池電圧の均一化が行われる。
【００４９】
以上のように本実施形態では、二次側のコイルの逆起電圧と、二次側のコイルと接続された二次電池の電池電圧との比較に基づき、一次側からの電力を供給する二次電池を選択する。したがって本実施形態では、組電池を構成する複数の二次電池のそれぞれの電池電圧を監視するための構成が不要となり、簡易な構成で複数の二次電池の電池電圧の均一化を図ることができる。
【００５０】
尚、本実施形態では、電池電圧Ｖｂａｔ１＞電池電圧Ｖｂａｔ２＞電池電圧Ｖｂａｔ３の場合を例として説明したため、スイッチ素子Ｍ３が最初にオンされ、二次電池ＢＡＴ３にのみ電流が供給されるものとしたが、これに限定されない。例えば電池電圧Ｖｂａｔ１＞電池電圧Ｖｂａｔ２＝電池電圧Ｖｂａｔ３であった場合には、スイッチ素子Ｍ２とスイッチ素子Ｍ３が同時にオンとなり、二次電池ＢＡＴ２と二次電池ＢＡＴ３とが同時に充電される。
【００５１】
また本実施形態では、組電池１２０の有する二次電池を３つとして記載したが、これに限定されない。組電池１２０に含まれる二次電池は、任意の数であって良い。本実施形態では、組電池１２０に含まれる二次電池の数が増加しても、各二次電池の電池電圧を監視する構成が不要である。
【００５２】
また本実施形態では、二次側のコイルの逆起電圧と、二次電池の電池電圧との比較にコンパレータ及びオン抵抗の少ないＦＥＴ等のスイッチ素子を用いるため、二次電池に電力を供給する際の損失を低減することができる。
【００５３】
また本実施形態では、各コイル及び蓄電状態調整回路１１０は、フライバックコンバータ回路を構成するものとして説明したが、これに限定されない。例えば二次側のコイルの巻線方向を本実施形態の二次側のコイルＬ１、Ｌ２、Ｌ３の巻線方向と逆の向きとしても良い。この場合、各コイル及び蓄電状態調整回路１１０は、フォーワードコンバータ回路を構成する。フォーワードコンバータ回路の場合、スイッチ素子ＳＷがオンされたタイミングにおいて、最も電池電圧が低い二次電池と接続された二次側のコイルへ電力が供給される。
【００５４】
以上のように本実施形態では、簡易な構成で複数の二次電池の電池電圧の均一化を図ることができる。
【００５５】
（第二の実施形態）
以下に図面を参照して本発明の第二の実施形態について説明する。本発明の第二の実施形態は、第一の実施形態の蓄電状態調整回路及び各コイルが構成するフライバックコンバータ回路の動作モードを電流連続モードか、又は電流不連続モードに切り替える点が第一の実施形態と相違する。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００５６】
本実施形態では、コイルＬｐに流れる電流ＩＬｐの電流値を調整することで、動作モードの切り替えを行う。
【００５７】
具体的には例えば、動作モードを電流不連続モードとする場合には、コイルＬｐに蓄えられる電力Ｗ１を、スイッチ素子ＳＷがオフの期間に全て放電される程度に小さくすれば良い。このためには、スイッチ素子ＳＷがオンの期間にコイルＬｐに供給される電流ＩＬｐの電流値を小さくすれば良い。
【００５８】
また動作モードを電流連続モードとする場合には、スイッチ素子ＳＷがオフの期間にコイルＬｐに蓄えられる電力Ｗ１を、スイッチ素子ＳＷがオフの期間に全て放電されないように、大きくすれば良い。このためには、スイッチ素子ＳＷがオンの期間にコイルＬｐに供給される電流ＩＬｐの電流値を大きくすれば良い。
【００５９】
図３は、第二の実施形態の電池パックを説明する図である。
【００６０】
本実施形態の電池パック１００Ａは、電池パック１００Ａに充電器が接続されたことを検出するための充電器接続検出端子Ｔと、蓄電状態調整回路１１０Ａを有する。本実施形態の蓄電状態調整回路１１０Ａは、コイルＬｐの電流ＩＬｐの値を調整する抵抗Ｒａと、スイッチ素子ＳＷａを有する。
【００６１】
本実施形態の抵抗Ｒａは、一端が抵抗Ｒｓと接続されおり、他端がＰ−端子と接続されている。本実施形態のスイッチ素子ＳＷａは、抵抗Ｒａに並列に接続されており、スイッチ素子ＳＷａのオン／オフを制御するゲートに充電器接続検出端子Ｔが接続されている。
【００６２】
本実施形態の電池パック１００Ａでは、充電器が接続されたことを検出すると、スイッチ素子ＳＷａがオンされ、抵抗Ｒｓがスイッチ素子ＳＷａを介してＰ−端子と接続される。
【００６３】
したがってコイルＬｐとＰ−端子間の抵抗が小さくなり、コイルＬｐに流れる電流ＩＬｐが大きくなり、コイルＬｐに蓄えられる電力Ｗ１が大きくなる。
【００６４】
すなわち本実施形態の抵抗Ｒｓ、抵抗Ｒａ及びスイッチ素子ＳＷａは、一次側のコイルＬｐを介して二次側のコイルＬ１、Ｌ２、Ｌ３に供給される電流の値を調整する機能を果たす。
【００６５】
このためスイッチ素子ＳＷのオフ期間において、コイルＬｐに蓄えられた電力Ｗ１が全て放出される前にスイッチ素子ＳＷがオンされる。
【００６６】
図４は、電流連続モードにおける各コイルの電流波形を示す図である。
【００６７】
電流連続モードでは、コイルＬｐに流れる電流ＩＬｐの値が大きいため、二次側のコイルＬ１、Ｌ２、Ｌ３に流れる電流も大きくなり、電流不連続モードのときと比べて短時間で電池電圧の最も低い二次電池を充電し、各二次電池の電池電圧を均一できる。
【００６８】
本実施形態では、充電器が接続された際に電流連続モードとすることで、充電による各二次電池の電池電圧の変動の速度に応じて各二次電池の電池電圧を均一にできる。
【００６９】
さらに本実施形態では、充電器が接続されていない間は、電流不連続モードとすることで、コイルＬｐに流れる電流ＩＬｐを小さくし、蓄電状態調整回路１１０Ａの動作に係る消費電流を低減することができる。
【００７０】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００７１】
１００、１００Ａ  電池パック
１１０、１１０Ａ  蓄電状態調整回路
１１１、１１２、１１３  コンパレータ
１１４  制御回路
１２０  組電池
【先行技術文献】
【特許文献】
【００７２】
【特許文献１】特開２０１１−１８２４８４号公報
【特許文献２】特開２０１１−３８１８２号公報
【図１】
2015119614.tif 000009
【図２】
2015119614.tif 000010
【図３】
2015119614.tif 000011
【図４】
2015119614.tif 000012